(57)【要約】【課題】移動局から基地局へ上り信号を送信するための適当なチャネルを容易に選択する。【解決手段】移動局１０１にて受信された下り信号の受信品質を示すＣＱＩ値が移動局１０１から送信されて受信される基地局１０２にて、移動局１０１から送信されてきた上り信号の干渉電力が干渉レベル測定部１２３にてチャネルごとにそれぞれ測定され、それらのチャネルに測定された干渉電力の大きなチャネルからシーケンシャルにアドレスが付与され、移動局１０１から送信されたＣＱＩ値がＣＱＩ抽出部１２２にて抽出され、抽出されたＣＱＩ値の大きさに応じてチャネルの検索を開始するための検索開始アドレスが決定され、検索開始アドレスが付与されたチャネルが空きチャネルである場合、上りチャネル決定部１２４にて、検索開始アドレスが付与されたチャネルが、移動局１０１から基地局１０２への上り信号の送信に使用されるチャネルに割り当てられる。【選択図】図１
2007251498.tif 000002
【特許請求の範囲】
【請求項１】
基地局と、該基地局から送信された下り信号の受信状態を示すＣＱＩ値を決定して該ＣＱＩ値を前記基地局へ送信する移動局とを有してなる無線通信システムにおいて、
前記基地局は、前記移動局から送信されてきた上り信号の干渉電力をチャネルごとにそれぞれ測定し、前記チャネルに前記干渉電力の大きなチャネルからシーケンシャルにアドレスを付与し、前記移動局から送信されたＣＱＩ値の大きさに応じて前記チャネルの検索を開始するための検索開始アドレスを決定し、前記検索開始アドレスが付与されたチャネルが空きチャネルである場合、前記検索開始アドレスが付与されたチャネルを、前記移動局から当該基地局への上り信号の送信に使用されるチャネルに割り当てることを特徴とする無線通信システム。
【請求項２】
請求項１に記載の無線通信システムにおいて、
前記基地局は、前記検索開始アドレスが付与されたチャネルが空きチャネルではない場合、前記検索開始アドレスを順次１つずつインクリメントし、インクリメントされたアドレスが付与されたチャネルが空きチャネルかどうかを判断し、空きチャネルであると判断されたチャネルを、前記移動局から当該基地局への上り信号の送信に使用されるチャネルに割り当てることを特徴とする無線通信システム。
【請求項３】
移動局にて受信された下り信号の受信品質を示すＣＱＩ値が前記移動局から送信されて受信される基地局であって、
前記移動局から送信されてきた上り信号の干渉電力をチャネルごとにそれぞれ測定し、前記チャネルに前記干渉電力の大きなチャネルからシーケンシャルにアドレスを付与し、前記移動局から送信されたＣＱＩ値の大きさに応じて前記チャネルの検索を開始するための検索開始アドレスを決定し、前記検索開始アドレスが付与されたチャネルが空きチャネルである場合、前記検索開始アドレスが付与されたチャネルを、前記移動局から当該基地局への上り信号の送信に使用されるチャネルに割り当てる基地局。
【請求項４】
請求項３に記載の基地局において、
前記検索開始アドレスが付与されたチャネルが空きチャネルではない場合、前記検索開始アドレスを順次１つずつインクリメントし、インクリメントされたアドレスが付与されたチャネルが空きチャネルかどうかを判断し、空きチャネルであると判断されたチャネルを、前記移動局から当該基地局への上り信号の送信に使用されるチャネルに割り当てることを特徴とする基地局。
【請求項５】
基地局と、該基地局から送信された下り信号の受信状態を示すＣＱＩ値を決定して該ＣＱＩ値を前記基地局へ送信する移動局とを有してなる無線通信システムにおけるチャネル選択方法であって、
前記基地局が、前記移動局から送信されてきた上り信号の干渉電力をチャネルごとにそれぞれ測定する処理と、
前記基地局が、前記チャネルに前記干渉電力の大きなチャネルからシーケンシャルにアドレスを付与する処理と、
前記移動局から送信されたＣＱＩ値の大きさに応じて前記チャネルの検索を開始するための検索開始アドレスを決定する処理と、
前記検索開始アドレスが付与されたチャネルが空きチャネルである場合、前記検索開始アドレスが付与されたチャネルを、前記移動局から当該基地局への上り信号の送信に使用されるチャネルに割り当てる処理とを有するチャネル選択方法。
【請求項６】
請求項５に記載のチャネル選択方法において、
前記基地局が、前記検索開始アドレスが付与されたチャネルが空きチャネルではない場合、前記検索開始アドレスを順次１つずつインクリメントする処理と、
インクリメントされたアドレスが付与されたチャネルが空きチャネルかどうかを判断する処理と、
空きチャネルであると判断されたチャネルを、前記移動局から当該基地局への上り信号の送信に使用されるチャネルに割り当てる処理とを有することを特徴とするチャネル選択方法。
【発明の詳細な説明】
【技術分野】
【０００１】
本発明は、移動局から基地局へ信号を送信するためのチャネルを選択する無線通信システム、基地局及びチャネル選択方法に関する。
【背景技術】
【０００２】
従来のセルラ無線通信システムにおいて、隣り合う基地局がカバーする近隣セルにて、同一のＴＤＭＡ（Ｔｉｍｅ  Ｄｉｖｉｓｉｏｎ  Ｍｕｌｔｉｐｌｅ  Ａｃｃｅｓｓ）／ＦＤＭＡ（Ｆｒｅｑｕｅｎｃｙ  Ｄｉｖｉｓｉｏｎ  Ｍｕｌｔｉｐｌｅ  Ａｃｃｅｓｓ）チャネルが使用される場合がある。この場合、自セル内の信号が他セル内への干渉信号となってしまう。これを防ぐために、システム容量の増加を図る上で、チャネルの選択は非常に重要な課題である。
【０００３】
セルラ無線通信システムにおいてチャネルを選択するチャネル選択方式として、Ａｕｔｏｍｏｕｓ  Ｒｅｕｓｅ  Ｐａｒｔｉｔｉｏｎｉｎｇ（以下、ＡＲＰと称する）方式や、チャネル棲み分け方式等の検討が行われている。
【０００４】
上記のＡＲＰ方式やチャネル棲み分け方式では、基地局における受信ＳＩＲ（Ｓｉｇｎａｌ  ｔｏ  Ｉｎｔｅｒｆｅｒｅｎｃｅ  Ｒａｔｉｏ）、もしくは信号の受信電力に基づいて無線チャネルの選択が行われる。しかしながら近年の無線通信システムにおいては、伝播路の変化に応じて無線基地局での受信ＳＩＲが一定となるように、移動局から上り信号を送信するための送信電力の制御を行う方式が一般的である。そのため、受信ＳＩＲに基づいたチャネル選択を無線基地局にて行うことが困難となる。
【０００５】
そこで、上り回線において、伝送路損失の大きさに基づいて、ダイナミックにチャネルの割り当てを行う方法が考えられている（例えば、特許文献１参照。）。
【特許文献１】特開２００１−２３８２５２号公報
【発明の開示】
【発明が解決しようとする課題】
【０００６】
しかしながら、特許文献１に記載された方法においては、どの移動局に対しても、共通な優先順位に従って、使用されるチャネルを、一様に最も優先度の高い空きチャネルから選択するため、伝送路損失の大きさによっては、チャネル選択に必要とされる手順が多くなってしまい、また、それによる処理時間が長くなってしまうという問題点がある。
【０００７】
本発明は、上述したような従来の技術が有する問題点に鑑みてなされたものであって、移動局から基地局へ上り信号を送信するための適当なチャネルを容易に選択することができる無線通信システム、基地局及びチャネル選択方法を提供することを目的とする。
【課題を解決するための手段】
【０００８】
上記目的を達成するために本発明は、
基地局と、該基地局から送信された下り信号の受信状態を示すＣＱＩ値を決定して該ＣＱＩ値を前記基地局へ送信する移動局とを有してなる無線通信システムにおいて、
前記基地局は、前記移動局から送信されてきた上り信号の干渉電力をチャネルごとにそれぞれ測定し、前記チャネルに前記干渉電力の大きなチャネルからシーケンシャルにアドレスを付与し、前記移動局から送信されたＣＱＩ値の大きさに応じて前記チャネルの検索を開始するための検索開始アドレスを決定し、前記検索開始アドレスが付与されたチャネルが空きチャネルである場合、前記検索開始アドレスが付与されたチャネルを、前記移動局から当該基地局への上り信号の送信に使用されるチャネルに割り当てることを特徴とする。
【０００９】
また、前記基地局は、前記検索開始アドレスが付与されたチャネルが空きチャネルではない場合、前記検索開始アドレスを順次１つずつインクリメントし、インクリメントされたアドレスが付与されたチャネルが空きチャネルかどうかを判断し、空きチャネルであると判断されたチャネルを、前記移動局から当該基地局への上り信号の送信に使用されるチャネルに割り当てることを特徴とする。
【００１０】
また、移動局にて受信された下り信号の受信品質を示すＣＱＩ値が前記移動局から送信されて受信される基地局であって、
前記移動局から送信されてきた上り信号の干渉電力をチャネルごとにそれぞれ測定し、前記チャネルに前記干渉電力の大きなチャネルからシーケンシャルにアドレスを付与し、前記移動局から送信されたＣＱＩ値の大きさに応じて前記チャネルの検索を開始するための検索開始アドレスを決定し、前記検索開始アドレスが付与されたチャネルが空きチャネルである場合、前記検索開始アドレスが付与されたチャネルを、前記移動局から当該基地局への上り信号の送信に使用されるチャネルに割り当てる。
【００１１】
また、前記検索開始アドレスが付与されたチャネルが空きチャネルではない場合、前記検索開始アドレスを順次１つずつインクリメントし、インクリメントされたアドレスが付与されたチャネルが空きチャネルかどうかを判断し、空きチャネルであると判断されたチャネルを、前記移動局から当該基地局への上り信号の送信に使用されるチャネルに割り当てることを特徴とする。
【００１２】
また、基地局と、該基地局から送信された下り信号の受信状態を示すＣＱＩ値を決定して該ＣＱＩ値を前記基地局へ送信する移動局とを有してなる無線通信システムにおけるチャネル選択方法であって、
前記基地局が、前記移動局から送信されてきた上り信号の干渉電力をチャネルごとにそれぞれ測定する処理と、
前記基地局が、前記チャネルに前記干渉電力の大きなチャネルからシーケンシャルにアドレスを付与する処理と、
前記移動局から送信されたＣＱＩ値の大きさに応じて前記チャネルの検索を開始するための検索開始アドレスを決定する処理と、
前記検索開始アドレスが付与されたチャネルが空きチャネルである場合、前記検索開始アドレスが付与されたチャネルを、前記移動局から当該基地局への上り信号の送信に使用されるチャネルに割り当てる処理とを有する。
【００１３】
また、前記基地局が、前記検索開始アドレスが付与されたチャネルが空きチャネルではない場合、前記検索開始アドレスを順次１つずつインクリメントする処理と、
インクリメントされたアドレスが付与されたチャネルが空きチャネルかどうかを判断する処理と、
空きチャネルであると判断されたチャネルを、前記移動局から当該基地局への上り信号の送信に使用されるチャネルに割り当てる処理とを有することを特徴とする。
【００１４】
上記のように構成された本発明のおいては、移動局にて受信された下り信号の受信品質を示すＣＱＩ値が当該移動局から送信されて受信される基地局にて、当該移動局から送信されてきた上り信号の干渉電力がチャネルごとにそれぞれ測定され、それらのチャネルに測定された干渉電力の大きなチャネルからシーケンシャルにアドレスが付与され、当該移動局から送信されたＣＱＩ値の大きさに応じてチャネルの検索を開始するための検索開始アドレスが決定され、検索開始アドレスが付与されたチャネルが空きチャネルである場合、検索開始アドレスが付与されたチャネルが、当該移動局から基地局への上り信号の送信に使用されるチャネルに割り当てられる。
【００１５】
これにより、低いＣＱＩ値が送信された移動局から上り信号の送信に使用されるチャネルを検索する場合に、干渉電力の低いチャネルから検索が開始されることとなり、当該チャネルの検索時間を短縮して割り当てることができる。
【発明の効果】
【００１６】
以上説明したように本発明のおいては、移動局にて受信された下り信号の受信品質を示すＣＱＩ値を当該移動局から送信されて受信する基地局にて、当該移動局から送信されてきた上り信号の干渉電力をチャネルごとにそれぞれ測定し、それらのチャネルに測定された干渉電力の大きなチャネルからシーケンシャルにアドレスを付与し、当該移動局から送信されたＣＱＩ値の大きさに応じてチャネルの検索を開始するための検索開始アドレスを決定し、検索開始アドレスが付与されたチャネルが空きチャネルである場合、検索開始アドレスが付与されたチャネルを、当該移動局から基地局への上り信号の送信に使用されるチャネルに割り当てる構成としたため、移動局から基地局へ上り信号を送信するための適当なチャネルを容易に選択することができる。
【発明を実施するための最良の形態】
【００１７】
以下に、本発明の実施の形態について図面を参照して説明する。
【００１８】
図１は、本発明の無線通信システムの実施の一形態を示す図である。
【００１９】
本形態は図１に示すように、移動局１０１と、基地局１０２とから構成されている。移動局１０１と、基地局１０２とは、無線にて接続されており、移動局１０１は、基地局１０２から送信される下り信号を受信する。また、基地局１０２は、移動局１０１から送信された上り信号を受信する。なお、図１に示した移動局１０１は、基地局１０２に対して１台となっているが、複数台であっても良いことは言うまでもない。
【００２０】
さらに、移動局１０１には、下り信号受信部１１１と、受信レベル測定部１１２と、ＣＱＩ決定部１１３と、上り信号送信部１１４とが設けられている。
【００２１】
下り信号受信部１１１は、基地局１０２から送信された下り信号を受信する。受信レベル測定部１１２は、下り信号受信部１１１にて受信された下り信号の受信レベルを測定する。ＣＱＩ決定部１１３は、受信レベル測定部１１２にて測定された受信レベルに応じたＣＱＩ値を決定する。上り信号送信部１１４は、ＣＱＩ決定部１１３にて決定されたＣＱＩ値を基地局１０２へ送信する上り信号の所定の位置にマッピングして基地局１０２へ送信する。
【００２２】
また、基地局１０２には、上り信号受信部１２１と、ＣＱＩ抽出部１２２と、干渉レベル測定部１２３と、上りチャネル決定部１２４と、下り信号送信部１２５とが設けられている。
【００２３】
上り信号受信部１２１は、移動局１０１から送信された上り信号を受信する。ＣＱＩ抽出部１２２は、上り信号受信部１２１にて受信された上り信号からＣＱＩ値を抽出する。干渉レベル測定部１２３は、上り信号受信部１２１にて受信された上り信号の干渉電力を測定し、測定された干渉電力をいくつかの干渉レベルに置き換える。上りチャネル決定部１２４は、ＣＱＩ抽出部１２２にて抽出されたＣＱＩ値と、干渉レベル測定部１２３にて測定された干渉電力に基づいた干渉レベルとに基づいて、上り信号が使用するチャネルを決定する。下り信号送信部１２５は、上りチャネル決定部１２４にて決定されたチャネルを下り信号と共に移動局１０１へ送信する。
【００２４】
以下に、図１に示した無線通信システムにおけるチャネル選択方法について説明する。
【００２５】
まずは、初期設定として、基地局１０２の干渉レベル測定部１２３にて測定された干渉電力に基づいていくつかのレベルに分類された干渉レベルと、その上り信号の送信に使用されたチャネル番号とが対応付けられて格納される。ここで、測定された干渉電力そのものを使用して、測定された干渉電力と、その上り信号の送信に使用されたチャネル番号とが対応付けられていても良い。
【００２６】
図２は、基地局１０２の干渉レベル測定部１２３にて測定された干渉電力に基づいた干渉レベルと、その上り信号の送信に使用されたチャネル番号との対応付けの一例を示す図である。
【００２７】
図２に示すように、チャネル番号と、そのチャネル番号を使用した上り信号の干渉レベルとが対応付けられている。なお、図２に示した干渉レベル値は、説明の便宜上、「１」〜「５」としており、「５」が干渉レベルが最も大きな値であり、また「１」が干渉レベルが最も小さな値としている。図２に示した例では、チャネル番号「０」を使用した上り信号について、干渉レベル測定部１２３にて測定された干渉電力に基づいた干渉レベルは「３」であり、また、チャネル番号「１」を使用した上り信号について、干渉レベル測定部１２３にて測定された干渉電力に基づいた干渉レベルは「５」であり、また、チャネル番号「２」を使用した上り信号について、干渉レベル測定部１２３にて測定された干渉電力に基づいた干渉レベルは「２」であり、また、チャネル番号「３」を使用した上り信号について、干渉レベル測定部１２３にて測定された干渉電力に基づいた干渉レベルは「４」であり、また、チャネル番号「４」を使用した上り信号について、干渉レベル測定部１２３にて測定された干渉電力に基づいた干渉レベルは「１」である。この対応付けは、干渉レベル測定部１２３によってメモリ等の記憶手段に格納される。
【００２８】
図２に示した対応付けが格納されると、この対応付けが干渉レベルの大きなものから並び替えられ、それぞれにシーケンシャルにアドレスが付与される。
【００２９】
図３は、図２に示した対応付けが干渉レベルの大きなものから並び替えられ、それぞれにシーケンシャルにアドレスが付与された第１のテーブルの一例を示す図である。
【００３０】
図３に示すように、図２に示した対応付けが干渉レベルの「５」から「１」へといった大きなものから小さなものへという順序に並び替えられる。そして、並び替えられたものそれぞれに、シーケンシャルにアドレスが付与される。図３に示した例では、最も大きな干渉レベル「５」に対応付けられたチャネル番号「１」には、アドレス「０」が付与され、また、次に大きな干渉レベル「４」に対応付けられたチャネル番号「３」には、アドレス「１」が付与され、また、次に大きな干渉レベル「３」に対応付けられたチャネル番号「０」には、アドレス「２」が付与され、また、次に大きな干渉レベル「２」に対応付けられたチャネル番号「２」には、アドレス「３」が付与され、また、次に大きな干渉レベル「１」に対応付けられたチャネル番号「４」には、アドレス「４」が付与される。この第１のテーブルは、干渉レベル測定部１２３または上りチャネル決定部１２４によってメモリ等の記憶手段に格納される。
【００３１】
図３に示した第１のテーブルが格納されると、ＣＱＩ抽出部１２２にて抽出されたＣＱＩ値に基づいてチャネルを検索するためのチャネル検索開始アドレスと、抽出されたＣＱＩ値とが対応付けられて第２のテーブルとして格納される。
【００３２】
図４は、ＣＱＩ抽出部１２２にて抽出されたＣＱＩ値に基づいてチャネルの検索を開始するためのチャネル検索開始アドレスと、抽出されたＣＱＩ値との対応付けである第２のテーブルの一例を示す図である。なお、ＣＱＩ抽出部１２２にて抽出されるＣＱＩ値は、「０」〜「３０」の値に符号化されており、「０」が受信品質が最も悪い場合のＣＱＩ値であり、また、「３０」が受信品質が最も良い場合のＣＱＩ値とする。
【００３３】
図４に示すように、第２のテーブルにおけるＣＱＩ値は、所定の幅を持ったいくつかのレベルに分類されており、そのレベルそれぞれにチャネルの検索を開始するためのチャネル検索開始アドレスが対応付けられて格納されている。図４に示した第２のテーブルの例では、ＣＱＩ値が「２６」〜「３０」とチャネル検索開始アドレス「０」とが対応付けられており、また、ＣＱＩ値が「２１」〜「２５」とチャネル検索開始アドレス「１」とが対応付けられており、また、ＣＱＩ値が「１６」〜「２０」とチャネル検索開始アドレス「２」とが対応付けられており、また、ＣＱＩ値が「１１」〜「１５」とチャネル検索開始アドレス「３」とが対応付けられており、また、ＣＱＩ値が「０」〜「１０」とチャネル検索開始アドレス「４」とが対応付けられて格納されている。例えば、ＣＱＩ抽出部１２２にて抽出されたＣＱＩ値が「２３」である場合、ＣＱＩ値「２３」に対応付けられたチャネル検索開始アドレスは「１」となる。この第２のテーブルは、上りチャネル決定部１２４によってメモリ等の記憶手段に格納される。
【００３４】
図５は、上述した初期設定後の無線通信システムにおけるチャネル選択方法を説明するためのフローチャートである。
【００３５】
上記初期設定の完了後、基地局１０２から移動局１０１へＣＰＩＣＨ（Ｃｏｍｍｏｎ  Ｐｉｌｏｔ  Ｃｈａｎｎｅｌ）が送信される。基地局１０２から移動局１０１へＣＰＩＣＨが送信されると、送信されたＣＰＩＣＨが下り信号受信部１１１にて受信される。そして、下り信号受信部１１１にて受信されたＣＰＩＣＨの受信電力が受信レベル測定部１１２にて測定される。
【００３６】
すると、受信レベル測定部１１２にて測定された受信電力に基づいて、受信品質であるＣＱＩ値がＣＱＩ決定部１１３にて決定される。ＣＱＩ決定部１１３にて決定されたＣＱＩ値は、上り信号の所定の位置にマッピングされ、上り信号送信部１１４から基地局１０２へ送信される。
【００３７】
ＣＱＩ値がマッピングされて上り信号送信部１１４から基地局１０２へ送信された上り信号が、基地局１０２の上り信号受信部１２１にて受信されると、上り信号受信部１２１にて受信された上り信号からＣＱＩ値が抽出される（ステップＳ１）。
【００３８】
ＣＱＩ抽出部１２２にて抽出されたＣＱＩ値に基づいて、上りチャネル決定部１２４にて、上りチャネルの検索を開始するためのアドレスが決定される（ステップＳ２）。ここでは、ＣＱＩ抽出部１２２にて抽出されたＣＱＩ値を検索キーとして、図４に示した第２のテーブルからチャネル検索開始アドレスが検索されて決定されることとなる。
【００３９】
その後、決定されたチャネル検索開始アドレスに対応付けられたチャネルが空きチャネルかどうかが上りチャネル決定部１２４にて判断される（ステップＳ３）。ここでは、図３に示した第１のテーブル上で、決定された検索開始アドレスに対応付けられたチャネル番号のチャネルが他のユーザによって使用されているかどうか、つまり、空きチャネルかどうかが判断されることとなる。
【００４０】
決定されたチャネル検索開始アドレスに対応付けられたチャネル番号のチャネルが空きチャネルであると判断された場合、その空きチャネルが移動局１０１から基地局１０２へ上り信号を送信するために使用されるチャネルに割り当てられる（ステップＳ４）。
【００４１】
一方、決定されたチャネル検索開始アドレスに対応付けられたチャネル番号のチャネルが空いていないと判断された場合は、そのアドレスが１つインクリメントされる（ステップＳ５）。このとき、上りチャネル決定部１２４にカウンタを設けておき、設けられたカウンタを用いてカウントアップが行われるものであっても良い。
【００４２】
その後、インクリメントされたアドレスにチャネル割り当てがされているかどうかが判断される（ステップＳ６）。つまり、図３に示した第１のテーブルにて、アドレスに対応付けられたチャネル番号があるかどうかが判断されることとなる。
【００４３】
インクリメントされたアドレスにチャネル割り当てがされていると判断された場合、ステップＳ３の処理に戻り、インクリメントされたアドレスが空きチャネルかどうかが判断され、その後、上述した処理と同様の処理が行われる。
【００４４】
一方、インクリメントされたアドレスにチャネル割り当てがされていないと判断された場合は、使用可能なチャネルが無いと判断され、呼損となる（ステップＳ７）。
【００４５】
以下に、ステップＳ２からステップＳ７までのさらに具体的な処理を、ＣＱＩ抽出部１２２にて抽出されたＣＱＩ値が「２３」である場合を例に挙げて説明する。
【００４６】
図４に示した第２のテーブルを参照すると、ＣＱＩ値「２３」に対応付けられたチャネル検索開始アドレスは「１」である。そして、図３に示した第１のテーブルを参照すると、アドレス「１」に対応付けられたチャネル番号は「３」である。したがって、ＣＱＩ抽出部１２２にて抽出されたＣＱＩ値が「２３」である場合、空いているかどうかが判断されるチャネルのチャネル番号は「３」となる。ここで、チャネル番号「３」のチャネルが空いていると判断された場合、チャネル番号「３」が移動局１０１から基地局１０２へ上り信号を送信するために使用されるチャネルとして割り当てられることとなる。
【００４７】
一方、チャネル番号「３」のチャネルが空いていないと判断された場合は、アドレスが１つインクリメントされて「２」となる。つまり、次に高い干渉レベルのチャネルの検索が開始される。
【００４８】
そして、第１のテーブル上で、アドレス「２」に対応付けられたチャネルがあるかどうかが判断される。これは、チャネル番号は有限であるため、アドレスをインクリメントし続けていくことにより、そのアドレスに該当するチャネル番号が無くなることを考慮した処理である。そのため、アドレスをインクリメントし続けていくことにより、そのアドレスに該当するチャネル番号が無くなった場合は、割り当て可能なチャネルが存在しないと判断され、呼損となる。
【００４９】
図３に示した第１のテーブル上では、アドレス「２」に対応付けられたチャネル番号は「０」であるため、チャネル番号「０」のチャネルが空いているかどうかが判断される。
【００５０】
このように、干渉レベルの大きなチャネルから当該チャネルが空いているかどうかが順次判断され、空いていると判断されたチャネルが割り当てられることとなる。また、図４に示した第２のテーブルを用いることによって、ＣＱＩ抽出部１２２にて抽出されたＣＱＩ値に応じた干渉レベルのチャネルから検索が開始される、つまり、ＣＱＩ値が低い移動局１０１に対しては干渉レベルの低いチャネルから検索が開始されることとなり、近似的に移動局１０１が存在する位置に応じたチャネルを、当該チャネルの検索時間を短縮して割り当てることができる。
【００５１】
なお、移動局１０１と基地局１０２との間にて通信が行われている際に、その伝播路の状態が変化した場合であっても、図２に示した対応付け、図３に示した第１のテーブル及び図４に示した第２のテーブルを書き換えることにより、伝播路の状態に応じたチャネルの再選択を行うものであっても良い。
【図面の簡単な説明】
【００５２】
【図１】本発明の無線通信システムの実施の一形態を示す図である。
【図２】基地局の干渉レベル測定部にて測定された干渉電力に基づいた干渉レベルと、その上り信号の送信に使用されたチャネル番号との対応付けの一例を示す図である。
【図３】図２に示した対応付けが干渉レベルの大きなものから並び替えられ、それぞれにシーケンシャルにアドレスが付与された第１のテーブルの一例を示す図である。
【図４】ＣＱＩ抽出部にて抽出されたＣＱＩ値に基づいてチャネルの検索を開始するためのチャネル検索開始アドレスと、抽出されたＣＱＩ値との対応付けである第２のテーブルの一例を示す図である。
【図５】初期設定後の無線通信システムにおけるチャネル選択方法を説明するためのフローチャートである。
【符号の説明】
【００５３】
１０１    移動局
１０２    基地局
１１１    下り信号受信部
１１２    受信レベル測定部
１１３    ＣＱＩ決定部
１１４    上り信号送信部
１２１    上り信号受信部
１２２    ＣＱＩ抽出部
１２３    干渉レベル測定部
１２４    上りチャネル決定部
１２５    下り信号送信部
【図１】
2007251498.tif 000003
【図２】
2007251498.tif 000004
【図３】
2007251498.tif 000005
【図４】
2007251498.tif 000006
【図５】
2007251498.tif 000007